(57)【要約】【課題】使用された医療器具に対して、適切な作業指示を作業者に提供する。【解決手段】作業支援装置５０は、患者ＩＤと、症状と、医療行為と、器具ＩＤとが関連付けられた患者情報を、外部装置４０から取得するように構成された患者情報取得部６１と、器具ＩＤと、症状または医療行為のうち少なくとも一方と、作業指示とが関連付けられて記憶された作業指示テーブルＴ２が記憶された作業記憶部５３と、医療器具５に付された器具ＩＤを読み取るように構成された医療器具読取部６３と、医療器具読取部６３によって読み取られた器具ＩＤと、患者情報取得部６１によって取得された患者情報と、作業指示テーブルＴ２とに基づいて、医療器具読取部６１によって読み取られた器具ＩＤが付された医療器具５が使用された患者の症状または医療行為に応じた作業指示を抽出するように構成された処理部６０と、を備えている。【選択図】図４
2019219839.tif 000002
【特許請求の範囲】
【請求項１】
患者ＩＤと、症状と、医療行為と、前記医療行為で使用された医療器具に付された器具ＩＤとが関連付けられた患者情報を、外部装置から取得するように構成された患者情報取得部と、
前記器具ＩＤと、前記症状または前記医療行為のうち少なくとも一方と、作業指示とが関連付けられて記憶された作業指示テーブルが記憶された作業記憶部と、
医療器具に付された器具ＩＤを読み取るように構成された医療器具読取部と、
前記医療器具読取部によって読み取られた器具ＩＤと、前記患者情報取得部によって取得された患者情報と、前記作業指示テーブルとに基づいて、前記医療器具読取部によって読み取られた器具ＩＤが付された医療器具が使用された患者の症状または医療行為に応じた作業指示を抽出するように構成された処理部と、
を備えた、医療器具に対する作業支援装置。
【請求項２】
前記処理部は、
前記患者情報取得部によって取得された患者情報に基づいて、前記医療器具読取部によって読み取られた器具ＩＤが付された医療器具が使用された患者の症状または医療行為を抽出する抽出部と、
前記抽出部によって抽出された患者の症状または医療行為、および、前記作業指示テーブルに基づいて、前記医療器具読取部によって読み取られた器具ＩＤが付された医療器具に対する作業指示を抽出する作業指示抽出部と、
を備えた、請求項１に記載された医療器具に対する作業支援装置。
【請求項３】
前記患者情報には、前記医療行為が行われた日時である医療行為日時が関連付けられ、
前記抽出部は、前記医療行為日時に基づいて、前記医療器具読取部によって読み取られた器具ＩＤが付された医療器具が直近に使用された患者の症状または医療行為を抽出する、請求項２に記載された医療器具に対する作業支援装置。
【請求項４】
患者ＩＤと、症状と、医療行為と、前記医療行為で使用された医療器具に付された器具ＩＤとが関連付けられた患者情報を、外部装置から取得するように構成された患者情報取得部と、
前記医療行為と、前記医療行為で使用された医療器具の器具ＩＤとが関連付けられて記憶された医療行為関連テーブルが記憶された医療行為関連記憶部と、
前記器具ＩＤと、前記症状または前記医療行為のうち少なくとも一方と、作業指示とが関連付けられて記憶された作業指示テーブルが記憶された作業記憶部と、
医療器具に付された器具ＩＤを読み取るように構成された医療器具読取部と、
前記医療器具読取部によって読み取られた器具ＩＤと、前記患者情報取得部によって取得された患者情報と、前記医療行為関連テーブルと、前記作業指示テーブルとに基づいて、前記医療器具読取部によって読み取られた器具ＩＤが付された医療器具が使用された患者の症状または医療行為に応じた作業指示を抽出するように構成された処理部と、
を備えた、医療器具に対する作業支援装置。
【請求項５】
前記処理部は、
前記患者情報取得部によって取得された患者情報、および、前記医療行為関連テーブルに基づいて、前記医療器具読取部によって読み取られた器具ＩＤに付された医療器具が使用された患者の患者ＩＤを抽出する患者抽出部と、
前記患者情報取得部によって取得された患者情報に基づいて、前記患者抽出部によって抽出された患者ＩＤに対応した患者の症状または医療行為を抽出する抽出部と、
前記抽出部によって抽出された患者の症状または医療行為、および、前記作業指示テーブルに基づいて、前記医療器具読取部によって読み取られた器具ＩＤが付された医療器具に対する作業指示を抽出する作業指示抽出部と、
を備えた、請求項４に記載された医療器具に対する作業支援装置。
【請求項６】
前記医療行為関連テーブルには、前記医療行為が行われた日時である医療行為日時が関連付けられ、
前記患者抽出部は、前記医療行為関連テーブルの前記医療行為日時に基づいて、前記医療器具読取部によって読み取られた器具ＩＤが付された医療器具が直近に使用された医療行為を抽出し、前記患者情報取得部によって取得された前記患者情報に基づいて、当該医療行為が行われた患者の患者ＩＤを抽出する、請求項５に記載された医療器具に対する作業支援装置。
【請求項７】
前記医療器具読取部は、医療器具に付された器具ＩＤを読み取る読取装置によって、医療器具に付された器具ＩＤを読み取る、請求項１から６までの何れか１つに記載された医療器具に対する作業支援装置。
【請求項８】
前記外部装置は、電子カルテが記憶された装置である、請求項１から７までの何れか１つに記載された医療器具に対する作業支援装置。
【請求項９】
前記症状は、前記患者の病気の内容である、請求項１から８までの何れか１つに記載された医療器具に対する作業支援装置。
【請求項１０】
前記医療行為は、診察または手術の内容である、請求項１から９までの何れか１つに記載された医療器具に対する作業支援装置。
【請求項１１】
前記作業指示テーブルは、前記器具ＩＤと、前記症状または前記医療行為のうち少なくとも前記一方と、回収を行う回収工程と、前記回収工程における医療器具に対する作業指示である回収作業指示と、が関連付けられており、
前記処理部は、前記作業指示テーブルに基づいて、前記医療器具読取部によって読み取られた器具ＩＤに付された医療器具に対する回収作業指示を抽出する、請求項１から１０までの何れか１つに記載された医療器具に対する作業支援装置。
【請求項１２】
前記作業指示テーブルは、前記器具ＩＤと、前記症状または前記医療行為のうち少なくとも前記一方と、洗浄を行う洗浄工程と、前記洗浄工程における医療器具に対する作業指示である洗浄作業指示と、が関連付けられており、
前記処理部は、前記作業指示テーブルに基づいて、前記医療器具読取部によって読み取られた器具ＩＤに付された医療器具に対する洗浄作業指示を抽出する、請求項１から１１までの何れか１つに記載された医療器具に対する作業支援装置。
【請求項１３】
前記処理部によって抽出された洗浄作業指示を洗浄機に送信することで作業を指示するように構成された指示部を備えた、請求項１２に記載された医療器具に対する作業支援装置。
【請求項１４】
前記作業指示テーブルは、前記器具ＩＤと、前記症状または前記医療行為のうち少なくとも前記一方と、滅菌を行う滅菌工程と、前記滅菌工程における医療器具に対する作業指示である滅菌作業指示と、が関連付けられており、
前記処理部は、前記作業指示テーブルに基づいて、前記医療器具読取部によって読み取られた器具ＩＤに付された医療器具に対する滅菌作業指示を抽出する、請求項１から１３までの何れか１つに記載された医療器具に対する作業支援装置。
【請求項１５】
前記処理部によって抽出された滅菌作業指示を滅菌機に送信することで作業を指示するように構成された指示部を備えた、請求項１４に記載された医療器具に対する作業支援装置。
【請求項１６】
前記作業指示テーブルは、前記器具ＩＤと、前記症状または前記医療行為のうち少なくとも前記一方と、組み立てを行う組立工程と、前記組立工程における医療器具に対する作業指示である組立作業指示と、が関連付けられており、
前記処理部は、前記作業指示テーブルに基づいて、前記医療器具読取部によって読み取られた器具ＩＤに付された医療器具に対する組立作業指示を抽出する、請求項１から１５までの何れか１つに記載された医療器具に対する作業支援装置。
【請求項１７】
前記作業指示テーブルは、前記器具ＩＤと、前記症状または前記医療行為のうち少なくとも前記一方と、保管を行う保管工程と、前記保管工程における医療器具に対する作業指示である保管作業指示と、が関連付けられており、
前記処理部は、前記作業指示テーブルに基づいて、前記医療器具読取部によって読み取られた器具ＩＤに付された医療器具に対する保管作業指示を抽出する、請求項１から１６までの何れか１つに記載された医療器具に対する作業支援装置。
【請求項１８】
請求項１から１７までの何れか１つに記載された医療器具に対する作業支援装置と、
器具ＩＤを読み取る読取装置と、
を備えた、医療器具に対する作業支援システム。
【発明の詳細な説明】
【技術分野】
【０００１】
本発明は、医療器具に対する作業支援装置および作業支援システムに関する。
【背景技術】
【０００２】
例えば、手術や診察などの医療行為で使用される医療器具に関連したシステムとして、特許文献１には、医療行為に対する予定および実施内容を管理する医療行為管理システムが開示されている。医療行為管理システムにおいて、医療行為者（例えば医師または看護師）は、予め定められた複数の術式の中から少なくとも１つの術式を選択することで、手術の予定（以下、予定情報という。）を入力する。また、医療行為管理システムには、医療行為に使用される医療器具の情報と術式とが対応付けられたデータが記憶されており、医療行為者によって選択された術式に応じて、医療器具の情報が選択される。
【０００３】
この医療器具には、識別番号が付与されている。医療行為者は、手術の実施内容を登録する際、手術に使用する医療器具の識別番号を、読取装置を使用して読み取る。そして、読み取られた識別番号は、医療行為管理システムにおいて、上記予定情報と関連付けられて管理される。このことで、手術の予定情報と、使用される医療器具などの実施内容とが関連付けられる。そのため、実施内容に含まれるデータのうち、予定情報に含まれるデータとして、上述の入力された予定情報のデータを使用することができるため、実施内容の管理を容易にすることができる。
【先行技術文献】
【特許文献】
【０００４】
【特許文献１】特許第４８７３３８４号
【発明の概要】
【発明が解決しようとする課題】
【０００５】
ところで、医療器具によっては、使用後に洗浄や滅菌が行われることで、複数の患者に対して繰り返し使用される。繰り返し使用される医療器具に対して、使用後、例えば回収、洗浄、組立、滅菌、保管などの所定の工程の作業が順に行われる。患者には、例えば他の人に感染し易い病気を患っているものや、他の人には感染し難い病気を患っているものがいる。そのため、同じ医療器具であっても、使用した患者の病気などの症状によって、各工程で行われる作業が異なることがあり得る。例えば、感染し易い病気を患っている患者に対して使用された医療器具と、感染し難い病気を患っている患者に対して使用された医療器具とでは、同じ医療器具であっても各工程で行われる作業が異なることがあり得る。
【０００６】
本発明はかかる点に鑑みてなされたものであり、その目的は、使用された医療器具に対して、適切な作業指示を作業者に提供することが可能な医療器具に対する作業支援装置および作業支援システムを提供することである。
【課題を解決するための手段】
【０００７】
本発明に係る医療器具に対する作業支援装置は、患者情報取得部と、作業記憶部と、医療器具読取部と、処理部とを備えている。前記患者情報取得部は、患者ＩＤと、症状と、医療行為と、前記医療行為で使用された医療器具に付された器具ＩＤとが関連付けられた患者情報を、外部装置から取得するように構成されている。前記作業記憶部には、前記器具ＩＤと、前記症状または前記医療行為のうち少なくとも一方と、作業指示とが関連付けられて記憶された作業指示テーブルが記憶されている。前記医療器具読取部は、医療器具に付された器具ＩＤを読み取るように構成されている。前記処理部は、前記医療器具読取部によって読み取られた器具ＩＤと、前記患者情報取得部によって取得された患者情報と、前記作業指示テーブルとに基づいて、前記医療器具読取部によって読み取られた器具ＩＤが付された医療器具が使用された患者の症状または医療行為に応じた作業指示を抽出するように構成されている。
【０００８】
本発明に係る医療器具に対する作業支援装置によれば、外部装置から患者情報を取得することで、器具ＩＤが付された医療器具がどのような医療行為、または、患者に対して使用されたかを得ることができる。そして、医療器具読取部によって医療器具の器具ＩＤを読み取ることで、作業対象となる医療器具の器具ＩＤを得ることができる。よって、作業対象となる医療器具の器具ＩＤと、患者情報に含まれる器具ＩＤとを照らし合わせることで、作業対象となる医療器具が使用された医療行為または患者の症状を得ることができる。したがって、作業対象となる医療器具が使用された医療行為または患者の症状に応じた適切な作業指示の内容を、作業指示テーブルに基づいて抽出することができる。その結果、医療行為または患者の症状の内容に応じて、医療器具の適切な作業指示の内容を作業者に提供することができる。
【０００９】
本発明に係る医療器具の他の作業支援装置は、患者情報取得部と、医療行為関連記憶部と、作業記憶部と、医療器具読取部と、処理部とを備えている。前記患者情報取得部は、患者ＩＤと、症状と、医療行為と、前記医療行為で使用された医療器具に付された器具ＩＤとが関連付けられた患者情報を、外部装置から取得するように構成されている。前記医療行為関連記憶部には、前記医療行為と、前記医療行為で使用された医療器具の器具ＩＤとが関連付けられて記憶された医療行為関連テーブルが記憶されている。前記作業記憶部には、前記器具ＩＤと、前記症状または前記医療行為のうち少なくとも一方と、作業指示とが関連付けられて記憶されている。前記医療器具読取部は、医療器具に付された器具ＩＤを読み取るように構成されている。前記処理部は、前記医療器具読取部によって読み取られた器具ＩＤと、前記患者情報取得部によって取得された患者情報と、前記医療行為関連テーブルと、前記作業指示テーブルとに基づいて、前記医療器具読取部によって読み取られた器具ＩＤが付された医療器具が使用された患者の症状または医療行為に応じた作業指示を抽出するように構成されている。
【００１０】
本発明に係る医療器具の他の作業支援装置によれば、外部装置から患者情報を取得し、患者情報と医療行為関連テーブルとから、医療器具読取部によって読み取られた器具ＩＤが付された医療器具がどの患者に使用されたかを得ることができる。また、患者情報から、作業対象となる医療器具が使用された医療行為または患者の症状を得ることができる。したがって、作業対象となる医療器具が使用された医療行為または患者の症状に応じた適切な作業指示の内容を、作業指示テーブルに基づいて抽出することができる。その結果、医療行為または患者の症状の内容に応じて、医療器具の適切な作業指示の内容を作業者に提供することができる。
【発明の効果】
【００１１】
本発明によれば、使用された医療器具に対して、適切な作業指示を作業者に提供することが可能な医療器具に対する作業支援装置および作業支援システムを提供することができる。
【図面の簡単な説明】
【００１２】
【図１】第１実施形態に係る作業支援システムを示す概念図である。
【図２】循環サイクルの説明図である。
【図３】患者情報テーブルの構成例を示す図である。
【図４】作業支援装置のブロック図である。
【図５】作業指示テーブルの構成例を示す図である。
【図６】滅菌工程の作業を指示する手順におけるデータの流れを示した図である。
【図７】第２実施形態に係る作業支援システムのブロック図である。
【図８】第２実施形態に係る患者情報テーブルの構成例を示す図である。
【図９】医療行為関連テーブルの構成例を示す図である。
【図１０】第２実施形態において、滅菌工程の作業を指示する手順におけるデータの流れを示した図である。
【発明を実施するための形態】
【００１３】
以下、図面を参照しながら、本発明に係る医療器具に対する作業支援装置（以下、単に作業支援装置という。）を備えた作業支援システムについて説明する。なお、ここで説明される実施形態は、当然ながら特に本発明を限定することを意図したものではない。また、同じ作用を奏する部材・部位には同じ符号を付し、重複する説明は適宜省略または簡略化する。
【００１４】
＜第１実施形態＞
図１は、第１実施形態に係る作業支援システム１００を示す概略図である。図１に示すように、作業支援システム１００は、医療器具５に対する作業者の作業を支援するためのシステムである。
【００１５】
医療器具５は、病院において行われる医療行為で使用される器具である。医療器具５は、例えばトラカール、鉗子、切開装置、洗浄吸引装置、剪刀、メス（例えばレーザーメスや電気メス）、超音波カッター、メスホルダー、カニューレ、鑷子、開創器、スケール、ゾンデ、エレバ、ラスパ、吸引管、開胸器、閉胸器、持針器、注射器、金属ボール、膿盆、コップ、ピン、ミラー、やすり、開口器、クレンメ、ハンドピース、エレパトリューム、ノミ、鋭匙、剥離子、鏡、縫合針、スタンツェ、受水器、針、圧子、ブジー、通気管、骨片打ち込み棒、リウエル、ラジオペンチ、ハンマー、角度計、温度計、穿孔器、スポイト、金属綿棒、浣腸器、シリンジおよび内視鏡などである。ただし、上記例は、医療器具５の一部を列挙したに過ぎず、医療器具５は上記例に限定されない。
【００１６】
医療器具５には、１つの部品で構成されていてもよいし、複数の部品で構成されていてもよい。複数の部品で構成された医療器具５として、例えば腹腔鏡外科手術で用いられるトラカール、鉗子、切開装置、洗浄吸引装置などが挙げられる。このような医療器具５は、複数の構成部品からなり、手術後に回収され、複数の構成部品に分解される。ここでは、医療器具５を構成する部品のことを構成部品という。また、構成部品がさらに複数の構成部品からなる場合があるが、このような場合は全て構成部品と称する。
【００１７】
本実施形態では、医療行為とは、医師が患者に対して行う医療に関する行為のことをいう。医療行為とは、医療現場、例えば病院で行われる行為である。医療行為には、手術および診察が含まれる。
【００１８】
図２は、循環サイクル１０の説明図である。図２に示すように、医療器具５は、所定の循環サイクル１０において繰り返し使用可能なものである。なお、医療器具５に対する循環サイクル１０における繰り返し回数は特に限定されず、医療器具５および医療器具５を構成する構成部品の種類によって異なるものである。本実施形態では、循環サイクル１０は、手術・診察工程１１と、回収工程１２と、洗浄工程１３と、組立工程１４と、滅菌工程１５と、保管工程１６とから構成されている。
【００１９】
手術・診察工程１１は、医療器具５を用いて医療行為の一例である手術または診察を行う工程である。ここでは、手術・診察工程１１では、所定の場所に保管された医療器具５を所定の場所から取り出し、手術または診察が行われる。回収工程１２は、手術・診察工程１１の後に行われる工程であり、手術または診察が行われた後、使用された医療器具５を回収する工程である。なお、医療器具５が複数の構成部品によって構成されている場合、回収工程１２では、医療器具５を個々の構成部品に分解する作業が含まれていてもよい。洗浄工程１３は、回収工程１２の後に行われる工程であり、回収された医療器具５または医療器具５の個々の構成部品を洗浄する工程である。洗浄工程１３では、例えば洗浄機８０（図１参照）を使用して、医療器具５に対する洗浄が行われる。
【００２０】
組立工程１４は、洗浄工程１３の後に行われる工程であり、洗浄された医療器具５の構成部品を組み立てて、１つの医療器具５を完成させる工程である。組立工程１４は、複数の構成部品によって構成された医療器具５を組み立てる工程である。例えば、１つの構成部品によって構成された医療器具５や、回収工程１２で分解されなかった医療器具５の場合、組立工程１４は省略されてもよい。滅菌工程１５は、組立工程１４の後に行われる工程であり、組み立てられた医療器具５を滅菌処理する工程である。滅菌工程１５では、例えば滅菌機８５（図１参照）を使用して、医療器具５に対する滅菌処理が行われる。以下、滅菌処理のことを単に滅菌ともいう。保管工程１６は、滅菌された医療器具５を所定の場所に保管する工程である。なお、保管工程１６の後には、手術・診察工程１１が行われる。
【００２１】
ところで、循環サイクル１０の各工程１２〜１６では、医療器具５の種類ごとに作業内容が異なることがあり得る。また、同じ医療器具５であっても、患者の症状や医療行為の内容によって、各工程１２〜１６で行われる作業が異なることがあり得る。例えば、同じ医療器具５であっても、使用された患者の症状や医療行為の内容によって、洗浄工程１３における洗浄の方法などが異なることがあり得る。一例として、感染する可能性が高い症状の患者に医療器具５を使用した場合、洗浄工程１３では、用手洗浄で医療器具５を洗浄したり、洗浄力が相対的に高い洗剤を使用して医療器具５を洗浄したりするとよい。一方、感染する可能性が低い症状の患者に対して医療器具５を使用した場合、洗浄工程１３では、上記と同じ医療器具５であっても、器械洗浄で医療器具５を洗浄したり、洗浄力が相対的に低い洗剤を使用して医療器具５を洗浄したりするとよい。このように、医療器具５の種類によって、各工程１２〜１６ごとに異なる作業が行われることがあると共に、同じ医療器具５であっても、同じ工程１２〜１６で異なる作業が行われることがあり得る。
【００２２】
このような循環サイクル１０では、工程１２〜１６ごとに作業者が割り振られており、作業者は、担当の工程１２〜１６の作業のみを行うことが多い。また、作業対象となる医療器具５の種類が多数あり、従来では作業者は経験則で作業を行っていた。上述のように、医療器具５の使用状況によって作業内容が変更されることがあり、全ての医療器具５に対して適切な作業を行うことは困難であった。
【００２３】
そこで、本実施形態では、作業支援システム１００は、各工程１２〜１６において、医療器具５の使用状況に応じた作業を指示することで、作業者の作業を支援する。詳しくは後述するが、本実施形態では、図１に示すように、作業支援システム１００は、患者情報が記憶されている外部装置４０と連携して、外部装置４０から患者情報を取得する。そして、作業支援システム１００は、取得した患者情報に基づいて、回収工程１２と、洗浄工程１３と、組立工程１４と、滅菌工程１５と、保管工程１６とにおける医療器具５の最適な作業内容を作業者に指示する。
【００２４】
本実施形態では、図１に示すように、医療器具５に識別標識６が設けられている。この識別標識６は、医療器具５と他の医療器具５とを区別するためのものである。例えば、識別標識６には、器具ＩＤ１０６が記録されている。器具ＩＤ１０６は、数字やアルファベットなどによって構成された文字列であり、医療器具５ごとに異なるものである。例えば、器具ＩＤ１０６は、医療器具５ごとに付されている。ただし、医療器具５が複数の構成部品によって構成され、回収工程１２において複数の構成部品に分解された医療器具５の場合、構成部品ごとに識別標識６が設けられ、器具ＩＤ１０６が付されている。なお、識別標識６の種類は特に限定されない。例えば、識別標識６は、一次元バーコードであってもよいし、二次元バーコートであってもよいし、ＩＣタグであってもよい。本実施形態では、後述する読取装置３０によって識別標識６を読み取ることで、医療器具５の器具ＩＤ１０６を取得することができる。
【００２５】
ここでは、作業支援システム１００は、医療器具５に設けられた識別標識６から器具ＩＤ１０６を読み取ることで、医療器具５に対する作業指示を行う。本実施形態では、作業支援システム１００は、上述のように、循環サイクル１０の回収工程１２、洗浄工程１３、組立工程１４、滅菌工程１５および保管工程１６で行われる医療器具５に対する作業を支援する。しかしながら、作業支援システム１００は、上記工程１２〜１６のうちの一部の工程で行われる医療器具５に対する作業を支援するシステムであってもよい。
【００２６】
本実施形態では、図１に示すように、作業支援システム１００は、読取装置３０と、外部装置４０と、医療器具５に対する作業支援装置（以下、作業支援装置という。）５０と、を備えている。
【００２７】
読取装置３０は、医療器具５に設けられた識別標識６の器具ＩＤ１０６を読み取るものである。読取装置３０は、識別標識６に記録された器具ＩＤ１０６を読み取り、読み取った器具ＩＤ１０６を作業支援装置５０に送信する。なお、読取装置３０の種類は特に限定されず、識別標識６の器具ＩＤ１０６を読み取ることが可能なものであればよい。例えば、識別標識６が二次元コードの場合、読取装置３０は、二次元コードを読み取ることが可能な二次元コードリーダであるとよい。例えば、識別標識６がＩＣタグの場合、読取装置３０は、ＩＣタグリーダであるとよい。本実施形態では、読取装置３０は、非接触式の装置である。しかしながら、読取装置３０は、接触式の装置であってもよい。なお、この読取装置３０は、各工程１２〜１６に設けられるものである。読取装置３０の設置場所は、例えば各工程１２〜１６が行われる作業空間である。
【００２８】
外部装置４０は、作業支援装置５０および読取装置３０とそれぞれ別体であり、作業支援装置５０と電気的に接続されている。外部装置４０は、作業支援装置５０と通信可能に接続されている。外部装置４０は、コンピュータであり、ＣＰＵと、ＣＰＵが実行するプログラムなどが格納されたＲＯＭと、ＲＡＭなどを備えている。外部装置４０は、専用のコンピュータで実現されるものであってもよいし、汎用のコンピュータで実現されるものであってもよい。外部装置４０は、例えば医師が使用する装置である。
【００２９】
本実施形態では、外部装置４０には、患者の電子カルテが記憶されている。電子カルテには、患者情報が記憶されている。言い換えると、外部装置４０には、電子カルテとしての患者情報が記憶されている。ここで、「患者情報」とは、患者の医療に関する情報であり、患者の患者ＩＤと、患者の症状と、患者に対する医療行為に関する医療情報と、医療行為で使用された医療器具５に付された器具ＩＤ１０６などが少なくとも含まれた情報のことである。
【００３０】
図３は、患者情報テーブルＴ１の構成例を示す図である。本実施形態では、外部装置４０には、電子カルテ内の患者情報として、患者情報テーブルＴ１（図３参照）が記憶されている。ここで、テーブルとは、データベースを構成するテーブルのことをいう。本実施形態に係る患者情報テーブルＴ１には、患者ＩＤ１０１、患者名１０２、症状１０３、医療行為１０４、医療行為日時１０５、医療行為１０４に対して使用された医療器具５の器具ＩＤ１０６などの項目が存在する。なお、患者情報テーブルＴ１には、上述した項目以外の項目が含まれていてもよい。ここで、症状１０３には、患者の病名や、患者内に潜伏しているウィルス情報などが含まれる。
【００３１】
次に、作業支援装置５０について説明する。作業支援装置５０は、医療器具５の使用状況に応じた作業を作業者に指示することで、作業者の作業を支援する装置である。作業支援装置５０は、コンピュータであり、ＣＰＵと、ＣＰＵが実行するプログラムなどが格納されたＲＯＭと、ＲＡＭなどを備えている。ここでは、コンピュータ内に保存されたプログラムを使用して、医療器具５に対する作業者の作業を支援する。作業支援装置５０は、専用のコンピュータで実現されるものであってもよいし、汎用のコンピュータで実現されるものであってもよい。
【００３２】
本実施形態では、作業支援装置５０は、読取装置３０および外部装置４０と電気的に接続されており、かつ、通信可能に接続されている。作業支援装置５０は、読取装置３０および外部装置４０と、有線で接続されていてもよいし、無線で接続されていてもよい。ここでは、作業支援システム１００は、いわゆるクライアントサーバシステムであってもよいし、クラウドコンピューティングであってもよいし、スタンドアローンシステムであってもよい。
【００３３】
図４は、作業支援装置５０のブロック図である。本実施形態では、図４に示すように、作業支援装置５０は、記憶部５１と、作業記憶部５３と、患者情報取得部６１と、医療器具読取部６３と、処理部６０と、指示部６７とを備えている。処理部６０は、抽出部６４と作業指示抽出部６５とを備えている。
【００３４】
図５は、作業指示テーブルＴ２の構成例を示す図である。作業記憶部５３には、例えば作業指示テーブルＴ２（図５参照）が予め記憶されている。作業指示テーブルＴ２は、各工程１２〜１６において、医療器具５を使用した患者の症状１０３に応じた作業指示２０２が示されたテーブルである。図５に示すように、作業指示テーブルＴ２は、医療器具５に付された器具ＩＤ１０６と、患者の症状１０３と、工程を示す工程ＩＤ２０１と、器具ＩＤ１０６が付された医療器具５に対する作業指示２０２とが関連付けられたテーブルである。言い換えると、作業指示テーブルＴ２には、器具ＩＤ１０６、症状（例えば病気）１０３、工程ＩＤ２０１、および、工程に対する作業指示２０２などの項目が存在する。ここで、「関連付けられた」とは、テーブルの同じ行に記載された項目同士のことをいう。また、工程に対する作業指示２０２のうち、回収工程１２における医療器具５に対する作業指示２０２のことを回収作業指示といい、洗浄工程１３における医療器具５に対する作業指示２０２のことを洗浄作業指示という。また、組立工程１４における医療器具５に対する作業指示２０２のことを組立作業指示といい、滅菌工程１５における医療器具５に対する作業指示２０２のことを滅菌作業指示といい、保管工程１６における医療器具５に対する作業指示２０２のことを保管作業指示という。
【００３５】
なお、作業指示テーブルＴ２に存在する症状１０３、および、工程に対する作業指示２０２の内容などは、ＩＤによって管理されていてもよい。例えば、症状ＩＤと症状とが関連付けられた症状テーブルが記憶部５１に予め記憶されており、症状テーブルを参照することで、症状ＩＤから症状を特定するようなものであってもよい。この場合、作業指示テーブルＴ２の症状１０３の項目は、症状ＩＤである。以下の説明において、各テーブルの項目は、ＩＤで管理されるものであってもよいし、それぞれの名称で管理されるものであってもよい。例えば各工程は、工程ＩＤによって管理されていてもよいし、工程名によって管理されていてもよい。
【００３６】
図５の作業指示テーブルＴ２は、１つのテーブルによって構成されていてもよいし、複数のテーブルによって構成されていてもよい。仮に、作業指示テーブルＴ２が複数のテーブルによって構成されている場合、作業指示テーブルＴ２は、回収作業指示テーブルと、洗浄作業指示テーブルと、組立作業指示テーブルと、滅菌作業指示テーブルと、保管作業指示テーブルとを有していてもよい。ここで、回収作業指示テーブルは、器具ＩＤ１０６と、症状１０３と、回収作業指示とが関連付けられたテーブルであり、洗浄作業指示テーブルは、器具ＩＤ１０６と、症状１０３と、洗浄作業指示とが関連付けられたテーブルである。組立作業指示テーブルは、器具ＩＤ１０６と、症状１０３と、組立作業指示とが関連付けられたテーブルであり、滅菌作業指示テーブルは、器具ＩＤ１０６と、症状１０３と、滅菌作業指示とが関連付けられたテーブルである。保管作業指示テーブルは、器具ＩＤ１０６と、症状１０３と、保管作業指示とが関連付けられたテーブルである。
【００３７】
記憶部５１には、例えば作業記憶部５３に記憶された作業指示テーブルＴ２（図５参照）以外のテーブルが記憶されていてもよい。例えば、記憶部５１には、図示しない作業履歴テーブルが記憶されていてもよい。この作業履歴テーブルは、医療器具５に対する作業の履歴に関するテーブルである。作業履歴テーブルには、器具ＩＤ、症状、回収日時（または、回収開始日、回収終了日）、洗浄日時（または、洗浄開始日、洗浄終了日）、洗浄方法、組立日時（または、組立開始日、組立終了日）、滅菌日時（または、滅菌開始日、滅菌終了日）、滅菌方法、保管日時（または、保管開始日、保管終了日）、および、払出日時（または、払出開始日、払出終了日）などの項目が存在する。ここで、洗浄方法には、例えば用手洗浄、単層式自動洗浄、多層式自動洗浄、超音波洗浄、薬品洗浄などが含まれる。滅菌方法には、例えばオートクレーブ（ＡＣ）、プラズマ、ガスなどが含まれる。
【００３８】
患者情報取得部６１は、患者情報が記憶された外部装置４０から患者情報を取得する。本実施形態では、患者情報取得部６１は、外部装置４０から所定の間隔ごと（例えば、１日に１回や１週間に１回など）に患者情報を取得する。ここでは、患者情報取得部６１は、外部装置４０に患者情報取得信号を送信する。そして、患者情報取得信号を取得した外部装置４０は、患者情報取得部６１に患者情報を送信する。ここでは、外部装置４０は、患者情報取得部６１に患者情報の一例として、患者情報テーブルＴ１（図３参照）を送信する。患者情報取得部６１は、患者情報テーブルＴ１を受信することで患者情報を取得する。なお、図４に示すように、受信した患者情報テーブルＴ１は、記憶部５１に記憶される。患者情報取得部６１は、外部装置４０の患者情報テーブルＴ１の全項目を取得してもよいし、一部の項目のみを取得するように構成されていてもよい。
【００３９】
医療器具読取部６３は、医療器具５に付された器具ＩＤ１０６を読み取るように構成されている。医療器具読取部６３は、医療器具５に付与された器具ＩＤ１０６を読取装置３０によって読み取る。例えば、読取装置３０には、医療器具５の識別標識６を読み取る読取部（図示せず）が備えられている。作業者は、読取装置３０の読取部を医療器具５の識別標識６にかざす。このことで、読取装置３０は、識別標識６に記録された器具ＩＤ１０６を読み取ることができる。なお、読取装置３０は、器具ＩＤ１０６を読み取った後、器具ＩＤ１０６を医療器具読取部６３に送信する。医療器具読取部６３は、器具ＩＤ１０６を受信する。なお、医療器具読取部６３によって読み取られた器具ＩＤ１０６は、記憶部５１に記憶される。
【００４０】
なお、読取装置３０は、上述のように、各工程１２〜１６の作業を行う空間に配置されている。すなわち、各工程１２〜１６には、その工程１２〜１６の専用の読取装置３０が設けられている。例えば、読取装置３０には、どの工程１２〜１６の読取装置であるかを示す工程ＩＤ２０１が割り振られていてもよい。そして、読取装置３０によって医療器具５の器具ＩＤ１０６が読み取られた際、読取装置３０は、器具ＩＤ１０６と共に、工程ＩＤ２０１を医療器具読取部６３に送信してもよい。医療器具読取部６３は、工程ＩＤ２０１を受信し、受信した工程ＩＤ２０１は、記憶部５１に記憶される。
【００４１】
処理部６０は、医療器具読取部６３によって読み取られた器具ＩＤ１０６と、患者情報取得部６１によって取得された患者情報と、作業指示テーブルＴ２とに基づいて、医療器具読取部６３によって読み取られた器具ＩＤが付された医療器具５が使用された患者の症状１０３に応じた作業指示２０２を抽出するように構成されている。ここでは、処理部６０は、上述のように、抽出部６４と作業指示抽出部６５とを備えている。
【００４２】
抽出部６４は、医療器具読取部６３によって読み取られた器具ＩＤ１０６が付された医療器具５が使用された患者の症状１０３を、患者情報取得部６１によって取得された患者情報テーブルＴ１に基づいて抽出する。なお、読み取られた器具ＩＤ１０６が付された医療器具５が複数の患者に対して使用された場合、抽出部６４は、患者情報テーブルＴ１の医療行為日時１０５（図３参照）に基づいて、医療器具５が直近に使用された患者の症状１０３を抽出する。
【００４３】
作業指示抽出部６５は、医療器具読取部６３によって読み取られた器具ＩＤ１０６の医療器具５に対する作業指示２０２を、抽出部６４によって抽出された患者の症状１０３、および、作業指示テーブルＴ２に基づいて抽出する。ここでは、作業指示抽出部６５は、作業指示テーブルＴ２から医療器具読取部６３によって読み取られた器具ＩＤ１０６を特定する。そして、作業指示抽出部６５は、図５に示すように、読取装置３０に付された工程ＩＤ２０１であって、記憶部５１に記憶された工程ＩＤ２０１と、医療器具読取部６３によって読み取られた器具ＩＤ１０６と、抽出部６４によって抽出された症状１０３とが関連付けられたときの作業指示２０２を作業指示テーブルＴ２に基づいて抽出する。
【００４４】
指示部６７は、処理部６０（詳しくは、作業指示抽出部６５）によって抽出された作業指示２０２の内容を作業者に指示する。なお、作業者に作業指示を指示する方法は特に限定されない。本実施形態では、図１に示すように、例えば作業支援装置５０は、端末７０に通信可能に接続されている。端末７０は、例えばコンピュータであり、制御部７１と表示画面７２を備えている。端末７０は、いわゆるタブレット型端末であってもよい。この場合、指示部６７は、作業指示抽出部６５によって抽出された作業指示２０２を端末７０に送信する。このとき、端末７０の制御部７１は、受信した作業指示２０２を表示画面７２に表示する。なお、この端末７０は、作業支援装置５０と別体で構成されていてもよいし、一体的に構成されていてもよい。
【００４５】
本実施形態では、図１に示すように、作業支援システム１００は、洗浄機８０と滅菌機８５とを備えている。作業支援装置５０は、洗浄機８０および滅菌機８５に通信可能に接続されている。洗浄機８０は、洗浄工程１３で使用される装置であり、かつ、医療器具５を洗浄するために使用される装置である。ここでは、洗浄機８０は、制御部８１と、表示画面８２とを備えている。滅菌機８５は、滅菌工程１５で使用される装置であり、かつ、医療器具５を滅菌するために使用される装置である。ここでは、滅菌機８５は、制御部８６と、表示画面８７とを備えている。作業指示抽出部６５によって抽出された作業指示２０２が洗浄作業指示の場合、指示部６７は、洗浄作業指示を洗浄機８０に送信する。このとき、洗浄機８０の制御部８１は、受信した洗浄作業指示を表示画面８２に表示する。作業指示抽出部６５によって抽出された作業指示２０２が滅菌作業指示の場合、指示部６７は、滅菌作業指示を滅菌機８５に送信する。このとき、滅菌機８５の制御部８６は、受信した滅菌作業指示を表示画面８７に表示する。
【００４６】
以上、本実施形態に係る作業支援システム１００の構成について説明した。次に、医療器具５に対する作業者の作業を支援する手順について説明する。本実施形態では、医療器具５は、循環サイクル１０（図２参照）において繰り返し使用されるものである。ここでは、循環サイクル１０の工程１２〜１６において、その工程１２〜１６の作業が開始される際、作業者は、まず読取装置３０を使用して、医療器具５に付された器具ＩＤ１０６を読み取る。そして、器具ＩＤ１０６を読み取った後、作業支援装置５０は、器具ＩＤ１０６が付された医療器具５に対して適切な作業指示２０２を提示する。作業者は、その作業指示２０２に沿って作業を開始する。なお、本実施形態では、各工程１２〜１６において、医療器具５に付された器具ＩＤ１０６の読み取りから作業指示２０２を抽出するまでの手順は同じである。そのため、ここでは、一例として滅菌工程１５の作業を支援する手順について図６に沿って説明する。具体的には、器具ＩＤ１０６が「ｍ１」である医療器具５の滅菌作業指示を提示する手順について説明する。
【００４７】
本実施形態では、滅菌工程１５の作業の支援が実行される前において、患者情報取得部６１は、患者情報テーブルＴ１を外部装置４０から取得している。そして、取得した患者情報テーブルＴ１は記憶部５１に記憶されているものとする。以下の説明において、分解されていない医療器具５の場合、医療器具５とは医療器具５そのものである。他方、複数の構成部品に分解された医療器具５の場合、医療器具５は、構成部品に適宜読み替えられるものとする。
【００４８】
まず滅菌工程１５の作業者は、読取装置３０を手に持ち、滅菌対象となる医療器具５に設けられた識別標識６に読取装置３０の読取部（図示せず）をかざす。このことで、読取装置３０は、識別標識６に記録された器具ＩＤ１０６を読み取る（ステップＳ１０１）。ここでは、識別標識６から器具ＩＤ１０６の「ｍ１」が読み取られ、「ｍ１」が医療器具読取部６３に送信される（ステップＳ１０２）。また、ステップＳ１０２では、滅菌工程１５の工程ＩＤ２０１である「ｓ１５」が医療器具読取部６３に送信される。そして、医療器具読取部６３は、器具ＩＤの「ｍ１」、および、工程ＩＤの「ｓ１５」を記憶部５１に記憶する（ステップＳ１０３）。
【００４９】
次に、抽出部６４は、器具ＩＤが「ｍ１」である医療器具５が直近で使用された患者の症状１０３を、図３の患者情報テーブルＴ１から特定する（ステップＳ１０４）。本実施形態では、図３に示すように、患者情報テーブルＴ１には、症状１０３と、医療行為１０４と、医療行為１０４が行われた医療行為日時１０５と、医療行為１０４で使用された医療器具５の器具ＩＤ１０６とが関連付けられている。ここでは、まず抽出部６４は、患者情報テーブルＴ１から器具ＩＤ１０６が「ｍ１」である行を抽出し、抽出した行の患者の症状１０３を抽出する。ここで、複数の患者の症状１０３が抽出された場合、医療行為日時１０５が最も直近の患者の症状１０３を特定する。ここでは、図３の患者情報テーブルＴ１において、器具ＩＤ１０６が「ｍ１」と関連付けされた症状１０３は、「ａ１」と「ａ３」である。そのうち、医療行為日時１０５が直近であるのは、症状１０３が「ａ１」である。そのため、ここでは、器具ＩＤ１０６が「ｍ１」の症状１０３として、「ａ１」が特定される。なお、特定された症状１０３の「ａ１」は、記憶部５１に記憶される（ステップＳ１０５）。
【００５０】
次に、作業指示抽出部６５は、図５の作業指示テーブルＴ２から作業指示２０２を抽出する（ステップＳ１０６）。ここでは、作業指示抽出部６５は、器具ＩＤ１０６が「ｍ１」であり、工程ＩＤ２０１が「ｓ１５」である行を作業指示テーブルＴ２から抽出する。そして、作業指示抽出部６５は、先ほど抽出した行のうち、患者の症状１０３が「ａ１」である行の作業指示２０２を抽出する。本実施形態では、作業指示２０２である「ｃ１５−１」が抽出される。なお、「ｃ１５−１」には、器具ＩＤが「ｍ１」の医療器具５において、滅菌工程１５で行われる作業指示２０２であって、症状１０３が「ａ１」に対応した適切な作業指示２０２が示されている。以上のようにして、作業指示抽出部６５は、症状１０３に応じた作業指示２０２の内容を抽出することができる。なお、抽出された作業指示２０２の「ｃ１５−１」は、記憶部５１に記憶される（ステップＳ１０７）。
【００５１】
次に、指示部６７は、記憶部５１に記憶された作業指示２０２である「ｃ１５−１」を抽出する（ステップＳ１０８）。そして、指示部６７は、作業指示２０２である「ｃ１５−１」を滅菌機８５に送信する（ステップＳ１０９）。作業指示２０２の「ｃ１５−１」を受信した滅菌機８５は、この「ｃ１５−１」の作業指示を表示画面８７（図１参照）に表示する。作業者は、この「ｃ１５−１」に関する内容に沿って、器具ＩＤが「ｍ１」である医療器具５の滅菌処理を行う。
【００５２】
以上、本実施形態では、外部装置４０から患者情報テーブルＴ１（図３参照）を取得することで、器具ＩＤ１０６が付された医療器具５がどのような医療行為１０４で使用されたかを得ることができる。そして、医療器具読取部６３によって医療器具５の器具ＩＤ１０６を読み取ることで、作業対象となる医療器具５の器具ＩＤ１０６を得ることができる。よって、作業対象となる医療器具５の器具ＩＤ１０６と、患者情報に含まれる器具ＩＤ１０６とを照らし合わせることで、作業対象となる医療器具５が使用された患者の症状１０３を特定することができる。したがって、作業対象となる医療器具５が使用された患者の症状１０３に対する適切な作業指示２０２の内容を、作業指示テーブルＴ２（図５参照）に基づいて抽出することができる。その結果、患者の症状１０３に応じて、医療器具５に対する適切な作業指示２０２の内容を作業者に提供することができる。
【００５３】
本実施形態では、患者の症状１０３に応じて、医療器具５に対する作業指示２０２を作業者に対して適切に指示することができるため、例えば作業者がその作業に慣れていない初心者であっても、適切に作業を行うことができる。
【００５４】
本実施形態では、抽出部６４は、医療器具読取部６３によって読み取られた器具ＩＤ１０６が付された医療器具５が直近に使用された患者の症状１０３を、医療行為日時１０５（図３参照）に基づいて抽出する。このことによって、例えば医療器具５が複数の患者に対して使用された場合であっても、直近に使用された患者の症状１０３を特定することができる。よって、直近に使用された患者の症状１０３に応じた作業指示２０２を作業者に提供することができる。
【００５５】
本実施形態では、医療器具読取部６３は、医療器具５に付された器具ＩＤ１０６を読み取る読取装置３０（図１参照）によって、器具ＩＤ１０６を読み取る。ここでは、読取装置３０の読取部（図示せず）を器具ＩＤ１０６が記録された識別標識６にかざすことで、器具ＩＤ１０６を容易に読み取ることができる。
【００５６】
本実施形態では、外部装置４０は、電子カルテが記憶された装置である。電子カルテには、患者情報が含まれている。そのため、電子カルテの患者情報を利用することで、読み取られた器具ＩＤ１０６が付された医療器具５が使用された患者の症状１０３を特定し易い。また、作業支援装置５０の専用の患者情報を作成する必要がないため、患者情報を新たに作成する作業を削減することができると共に、患者情報の管理が煩雑になることを抑制することができる。
【００５７】
本実施形態では、症状１０３は、例えば患者の病気の内容である。このことによって、患者の病気の種類に応じて、医療器具５に対する適切な作業指示を行うことができる。
【００５８】
本実施形態では、図５に示すように、作業指示テーブルＴ２には、工程ＩＤ２０１の項目が含まれている。工程ＩＤ２０１によって、回収工程１２と、洗浄工程１３と、組立工程１４と、滅菌工程１５と、保管工程１６とのうちの何れの工程に対する作業指示２０２かを特定することができる。よって、工程１２〜１６および患者の症状１０３に応じた適切な作業指示２０２を作業者に対して行うことができる。
【００５９】
本実施形態では、洗浄工程１３において、指示部６７は、作業指示抽出部６５によって抽出された作業指示２０２（ここでは、洗浄作業指示）を洗浄機８０に送信している。洗浄機８０では、表示画面８２（図１参照）に作業指示２０２が表示される。洗浄機８０は、作業者が医療器具５に対して洗浄をする際に使用する装置である。そのため、作業支援装置５０と洗浄機８０とを連携させて、洗浄機８０から作業指示２０２を提示することで、作業者は、作業指示２０２の内容を見ながら洗浄機８０を使用し易い。
【００６０】
本実施形態では、滅菌工程１５において、指示部６７は、作業指示抽出部６５によって抽出された作業指示２０２（ここでは、滅菌作業指示）を滅菌機８５に送信している。滅菌機８５では、表示画面８７（図１参照）に作業指示２０２が表示される。滅菌機８５は、作業者が医療器具５に対して滅菌処理をする際に使用する装置である。そのため、作業支援装置５０と滅菌機８５とを連携させて、滅菌機８５から作業指示２０２を提示することで、作業者は、作業指示２０２の内容を見ながら滅菌機８５を使用し易い。
【００６１】
以上、第１実施形態に係る作業支援システム１００について説明した。第１実施形態では、抽出部６４は、医療器具読取部６３によって読み取られた器具ＩＤ１０６が付された医療器具５が使用された患者の症状１０３を抽出していた。そして、作業指示テーブルＴ２は、器具ＩＤ１０６と、症状１０３と、工程ＩＤ２０１と、作業指示２０２とが関連付けられており、作業指示抽出部６５は、医療器具５が使用された患者の症状１０３に適した作業指示２０２を、作業指示テーブルＴ２に基づいて抽出していた。しかしながら、作業指示抽出部６５は、医療器具５が使用された医療行為１０４に適した作業指示２０２を、作業指示テーブルＴ２に基づいて抽出してもよい。この場合、作業指示テーブルＴ２において、症状１０３は医療行為１０４に読み替えられる。この場合、作業指示テーブルＴ２は、器具ＩＤ１０６と、医療行為１０４と、工程ＩＤ２０１と、作業指示２０２とが関連付けられている。また、この場合、抽出部６４は、医療器具読取部６３によって読み取られた器具ＩＤ１０６が付された医療器具５が使用された医療行為１０４を抽出する。この場合、医療行為１０４に応じた適切な作業指示２０２を作業者に提供することができる。
【００６２】
この場合、医療行為１０４は、例えば診察または手術の内容である。このことによって、診察または手術の種類に応じて、医療器具５に対する適切な作業指示２０２を行うことができる。
【００６３】
＜第２実施形態＞
次に、第２実施形態に係る作業支援装置１５０を備えた作業支援システム２００について説明する。図７は、第２実施形態に係る作業支援システム２００のブロック図である。本実施形態に係る作業支援装置１５０は、第１実施形態と同様に、読取装置３０、外部装置１４０、端末７０、洗浄機８０および滅菌機８５に通信可能に接続されている。本実施形態では、読取装置３０、端末７０、洗浄機８０および滅菌機８５は、第１実施形態と同様のため、ここでの説明は省略する。
【００６４】
外部装置１４０は、作業支援装置１５０と別体である。外部装置１４０は、コンピュータであり、患者の電子カルテが記憶された装置である。この電子カルテには、患者情報の一例である患者情報テーブルＴ２１（図８参照）が記憶されている。本実施形態では、患者情報テーブルＴ２１に存在する項目が、第１実施形態の患者情報テーブルＴ１（図３参照）と異なる。ここでは、患者情報テーブルＴ２１には、患者ＩＤ１０１、患者名１０２、症状１０３、医療行為１０４、医療行為日時１０５などの項目が存在する。患者情報テーブルＴ２１には、医療行為１０４に対して使用された医療器具５の器具ＩＤ１０６（図３参照）の項目が存在しない。
【００６５】
本実施形態では、図７に示すように、作業支援装置１５０は、第１実施形態の作業支援装置５０と同様に、記憶部５１と、作業記憶部５３と、患者情報取得部６１と、医療器具読取部６３と、処理部１６０と、指示部６７とを備えている。作業支援装置１５０は、さらに、医療行為関連記憶部５４を備えている。処理部１６０は、抽出部６４と、作業指示抽出部６５とを備えている。処理部１６０は、さらに、患者抽出部６２を備えている。
【００６６】
図９は、医療行為関連テーブルＴ２３の構成例を示す図である。医療行為関連記憶部５４には、医療行為関連テーブルＴ２３（図９参照）が記憶されている。医療行為関連テーブルＴ２３は、患者に対する医療行為１０４と、医療行為１０４が行われた医療行為日時１０５と、医療行為１０４で使用された医療器具５の器具ＩＤ１０６とが関連付けられている。ただし、医療行為関連テーブルＴ２３には、他の項目が含まれていてもよい。本実施形態では、医療行為関連テーブルＴ２３には、医療行為１０４および器具ＩＤ１０６の項目が少なくとも存在する。ここでは、医療行為関連テーブルＴ２３には、医療行為１０４と、医療行為日時１０５と、器具ＩＤ１０６とが関連付けられている。医療行為関連テーブルＴ２３の各項目は、例えば医療器具５を払い出すときや、医療行為１０４が行われるときに追加されるものである。本実施形態では、医療行為関連テーブルＴ２３の医療行為１０４と、図８の患者情報テーブルＴ２１の医療行為１０４とは、１対１で対応付けられている。ここでは、医療行為１０４とは、例えばＩＤが付されたユニークなものであり、医療行為１０４から患者（言い換えると、患者ＩＤ１０１）を特定することが可能である。
【００６７】
処理部１６０は、医療器具読取部６３によって読み取られた器具ＩＤ１０６と、患者情報取得部６１によって取得された患者情報と、医療行為関連テーブルＴ２３と、作業指示テーブルＴ２（図５参照）とに基づいて、医療器具読取部６３によって読み取られた器具ＩＤ１０６が付された医療器具５が使用された患者の症状１０３に応じた作業指示２０２を抽出するように構成されている。ここでは、処理部１６０は、上述のように、患者抽出部６２と、抽出部６４と、作業指示抽出部６５とを備えている。
【００６８】
患者抽出部６２は、医療器具読取部６３によって読み取られた器具ＩＤ１０６に付された医療器具５を使用した患者の患者ＩＤ１０１を、医療行為関連テーブルＴ２３および患者情報テーブルＴ２１に基づいて抽出する。なお、読み取られた器具ＩＤ１０６が付された医療器具５が複数の患者に対して使用された場合、患者抽出部６２は、医療行為関連テーブルＴ２３の医療行為日時１０５に基づいて、医療器具５が直近に使用された医療行為１０４を抽出し、この医療行為１０４が行われた患者の患者ＩＤ１０１を患者情報テーブルＴ２１から抽出する。そして、抽出部６４は、患者抽出部６２によって抽出された患者ＩＤの患者の症状１０３を、患者情報取得部６１によって取得された患者情報テーブルＴ２１に基づいて抽出する。
【００６９】
次に、本実施形態において、医療器具５に対する作業者の作業を支援する手順について説明する。ここでは、一例として、滅菌工程１５の作業を支援する手順について図１０に沿って説明する。ここでは、器具ＩＤが「ｍ１」である医療器具５の滅菌作業指示を提示する手順について説明する。
【００７０】
ここでは、まず滅菌工程１５の作業者は、読取装置３０を使用して、作業対象となる医療器具５の器具ＩＤ１０６を読み取る（ステップＳ２０１）。このことで、医療器具読取部６３は、例えば器具ＩＤとして「ｍ１」を取得すると同時に、滅菌工程１５の工程ＩＤである「ｓ１５」を取得する（ステップＳ２０２）。そして、医療器具読取部６３は、「ｍ１」と「ｓ１５」を記憶部５１に記憶させる（ステップＳ２０３）。
【００７１】
次に、患者抽出部６２は、器具ＩＤ１０６が付された医療器具５が直近で使用された患者の患者ＩＤ１０１を、医療行為関連テーブルＴ２３および患者情報テーブルＴ２１から特定する（ステップＳ２０４）。まず、患者抽出部６２は、図９の医療行為関連テーブルＴ２３から器具ＩＤ１０６が「ｍ１」である行を抽出し、抽出した行の医療行為１０４を抽出する。ここで、複数の医療行為１０４が抽出された場合、医療行為日時１０５が直近の医療行為１０４を抽出する。ここでは、図９の医療行為関連テーブルＴ２３から、医療行為１０４である「ｂ１」が抽出される。次に、患者抽出部６２は、医療行為の「ｂ１」が行われた患者の患者ＩＤ１０１を患者情報テーブルＴ２１から抽出する。図８の患者情報テーブルＴ２１では、患者ＩＤ１０１として「ｐ１」が抽出される。なお、抽出した患者ＩＤ１０１である「ｐ１」は、記憶部５１に記憶される（ステップＳ２０５）。
【００７２】
次に、抽出部６４は、患者抽出部６２によって抽出された患者ＩＤ１０１の患者の症状１０３を患者情報テーブルＴ２１に基づいて抽出する（ステップＳ２０６）。ここでは、図８の患者情報テーブルＴ２１から、患者ＩＤ１０１が「ｐ１」である患者の症状の「ａ１」が抽出される。なお、抽出した症状１０３である「ａ１」は記憶部５１に記憶される（ステップＳ２０７）。
【００７３】
次に、作業指示抽出部６５は、器具ＩＤ１０６が「ｍ１」であり、工程ＩＤ２０１が「ｓ１５」である行を作業指示テーブルＴ２（図５参照）から抽出する。そして、作業指示抽出部６５は、先ほど抽出した行のうち、患者の症状１０３が「ａ１」である行の作業指示２０２を抽出する（ステップＳ２０８）。本実施形態では、作業指示２０２である「ｃ１５−１」が抽出され、「ｃ１５−１」が記憶部５１に記憶される（ステップＳ２０９）。以上のようにして、作業指示抽出部６５は、作業指示２０２の内容を抽出することができる。なお、指示部６７による手順であるステップＳ２１０およびＳ２１１は、それぞれ第１実施形態のステップＳ１０８およびＳ１０９（図６参照）と同様のため、ここでの説明は省略する。
【００７４】
以上、本実施形態であっても、外部装置１４０から患者情報（ここでは、患者情報テーブルＴ２１）を取得し、患者情報テーブルＴ２１と医療行為関連テーブルＴ２３とから、医療器具読取部６３によって読み取られた器具ＩＤ１０６が付された医療器具５がどの患者に使用されたかを得ることができる。また、患者情報テーブルＴ２１から、作業対象となる医療器具５が使用された患者の症状１０３を得ることができる。したがって、作業対象となる医療器具５が使用された患者の症状１０３に対する適切な作業指示２０２の内容を、作業指示テーブルＴ２（図５参照）に基づいて抽出することができる。その結果、患者の症状１０３の内容に応じて、医療器具５の適切な作業指示２０２の内容を作業者に提供することができる。
【００７５】
本実施形態では、患者抽出部６２は、医療行為関連テーブルＴ２３の医療行為日時１０５に基づいて、医療器具読取部６３によって読み取られた器具ＩＤ１０６が付された医療器具５が直近に使用された医療行為１０４を抽出し、患者情報テーブルＴ２１に基づいて、医療行為１０４が行われた患者の患者ＩＤ１０１を抽出する。このことによって、例えば医療器具５が複数の患者に対して使用された場合であっても、直近に使用された患者の患者ＩＤ１０１を特定することができる。よって、特定された患者ＩＤ１０１から、直近に使用された患者の症状１０３に応じた作業指示２０２を作業者に提供することができる。
【００７６】
以上、第２実施形態に係る作業支援システム２００について説明した。第２実施形態では、抽出部６４は、医療器具読取部６３によって読み取られた器具ＩＤ１０６が付された医療器具５が使用された患者の症状を抽出していた。そして、作業指示テーブルＴ２は、器具ＩＤ１０６と、症状１０３と、工程ＩＤ２０１と、作業指示２０２とが関連付けられており、作業指示抽出部６５は、医療器具５が使用された患者の症状１０３に適した作業指示を、作業指示テーブルＴ２に基づいて抽出していた。しかしながら、作業指示抽出部６５は、医療器具５が使用された医療行為１０４に適した作業指示２０２を、作業指示テーブルＴ２に基づいて抽出してもよい。この場合、作業指示テーブルＴ２において、症状１０３は医療行為１０４に読み替えられる。この場合、作業指示テーブルＴ２は、器具ＩＤ１０６と、医療行為１０４と、工程ＩＤ２０１と、作業指示２０２とが関連付けられている。また、この場合、抽出部６４は、医療器具読取部６３によって読み取られた器具ＩＤ１０６が付された医療器具５が使用された医療行為１０４を抽出する。
【００７７】
上記各実施形態では、外部装置４０、１４０は、電子カルテが記憶された装置であった。しかしながら、外部装置４０、１４０は、患者情報が記憶された装置であれば、電子カルテが記憶された装置に限定されない。例えば、外部装置４０、１４０は、いわゆる手術情報が記憶された装置であってもよい。この手術情報が記憶された装置とは、いわゆる手術システムのことである。この手術情報には、患者情報が記憶されている。
【符号の説明】
【００７８】
５  医療器具
３０  読取装置
４０  外部装置
５０  １５０  作業支援装置
５１  記憶部
５３  作業記憶部
６１  患者情報取得部
６３  医療器具読取部
６４  抽出部
６５  作業指示抽出部
６７  指示部
７０  処理部
１００  ２００  作業支援システム
１０６  器具ＩＤ
【図１】
2019219839.tif 000003
【図２】
2019219839.tif 000004
【図３】
2019219839.tif 000005
【図４】
2019219839.tif 000006
【図５】
2019219839.tif 000007
【図６】
2019219839.tif 000008
【図７】
2019219839.tif 000009
【図８】
2019219839.tif 000010
【図９】
2019219839.tif 000011
【図１０】
2019219839.tif 000012